(57)【要約】【課題】暗表示のサブフレーム期間にも直下型バックライトの放電を継続する場合に、フリッカの発生を防止し得る液晶表示装置及びその駆動方法、並びに液晶表示装置に用いられるバックライト装置及びその駆動方法を提供する。【解決手段】バックライトを、暗表示のサブフレーム期間と明表示のサブフレーム期間との両方に対して同一のピーク輝度にて点灯させるバックライト駆動部が設けられている。バックライト駆動部は、暗表示のサブフレーム期間における直下型バックライトの平均オン時間比率が明表示のサブフレーム期間における直下型バックライトの平均オン時間比率に対し、１／３以下となるようにバックライトを点灯駆動する。【選択図】図１１
2007256678.tif 000002
【特許請求の範囲】
【請求項１】
互いに交差して設けられた複数のデータ線と複数の走査線との交差部近傍にスイッチング素子が設けられ、該スイッチング素子を介してマトリクス状の画素電極に該データ線が接続されていると共に、１つのフレームに対応する映像信号の輝度を時分割した暗表示のサブフレームの輝度と明表示のサブフレームの輝度との合計により表示し、かつ上記走査線に平行な方向に配置された複数の直下型バックライトを走査信号に同期して順次点灯させる液晶表示装置において、
上記直下型バックライトを、上記暗表示のサブフレーム期間と明表示のサブフレーム期間との両方に対して同一のピーク輝度にて点灯させるバックライト駆動手段が設けられていると共に、
上記バックライト駆動手段は、上記暗表示のサブフレーム期間における直下型バックライトの平均オン時間比率が明表示のサブフレーム期間における直下型バックライトの平均オン時間比率に対し、１／３以下となるように直下型バックライトを点灯駆動することを特徴とする液晶表示装置。
【請求項２】
前記バックライト駆動手段は、暗表示のサブフレーム期間における直下型バックライトのオフ時間のパルス間隔を３ｍｓｅｃ以下に設定していることを特徴とする請求項１記載の液晶表示装置。
【請求項３】
前記複数の直下型バックライトのうちの一部の複数の直下型バックライト毎に点灯する複数行点灯駆動手段が設けられていることを特徴とする請求項１又は２記載の液晶表示装置。
【請求項４】
前記直下型バックライトは、ＬＥＤにてなっていることを特徴とする請求項１又は２記載の液晶表示装置。
【請求項５】
前記直下型バックライトは、冷陰極管にてなっていることを特徴とする請求項１又は２記載の液晶表示装置。
【請求項６】
互いに交差して設けられた複数のデータ線と複数の走査線との交差部近傍にスイッチング素子が設けられ、該スイッチング素子を介してマトリクス状の画素電極に該データ線が接続されていると共に、１つのフレームに対応する映像信号の輝度を時分割した暗表示のサブフレームの輝度と明表示のサブフレームの輝度との合計により表示し、かつ上記走査線に平行な方向に配置された複数の直下型バックライトを走査信号に同期して順次点灯させる液晶表示装置の駆動方法において、
上記直下型バックライトを、上記暗表示のサブフレーム期間と明表示のサブフレーム期間との両方に対して同一のピーク輝度にて点灯させると共に、
上記暗表示のサブフレーム期間における直下型バックライトの平均オン時間比率が明表示のサブフレーム期間における直下型バックライトの平均オン時間比率に対し、１／３以下となるように直下型バックライトを点灯駆動することを特徴とする液晶表示装置の駆動方法。
【請求項７】
前記暗表示のサブフレーム期間における直下型バックライトのオフ時間のパルス間隔を３ｍｓｅｃ以下に設定することを特徴とする請求項６記載の液晶表示装置の駆動方法。
【請求項８】
請求項１〜５のいずれか１項に記載の液晶表示装置に用いられるバックライト装置であって、
各直下型バックライトは、暗表示期間と明表示期間とを有しており、
上記暗表示期間及び明表示期間のピーク輝度は同一であると共に、上記暗表示期間及び明表示期間のライト点灯期間は互いに異なっていることを特徴とするバックライト装置。
【請求項９】
請求項１〜５のいずれか１項に記載の液晶表示装置に用いられるバックライト装置であって、
各直下型バックライトは、暗表示期間と明表示期間とを有しており、
上記暗表示期間及び明表示期間のピーク輝度は同一であると共に、上記明表示期間は暗表示期間と同じか又は暗表示期間よりも長くなっており、かつ暗表示期間と明表示期間とを交互に繰り返すことを特徴とするバックライト装置。
【請求項１０】
請求項１〜５のいずれか１項に記載の液晶表示装置に用いられるバックライト装置の駆動方法であって、
各直下型バックライトは、暗表示期間と明表示期間とを有しており、
上記暗表示期間及び明表示期間のピーク輝度は同一であると共に、上記暗表示期間及び明表示期間のライト点灯期間は互いに異なっていることを特徴とするバックライト装置の駆動方法。
【請求項１１】
請求項１〜５のいずれか１項に記載の液晶表示装置に用いられるバックライト装置の駆動方法であって、
各直下型バックライトは、暗表示期間と明表示期間とを有しており、
上記暗表示期間及び明表示期間のピーク輝度は同一であると共に、上記明表示期間は暗表示期間と同じか又は暗表示期間よりも長くなっており、かつ暗表示期間と明表示期間とを交互に繰り返すことを特徴とするバックライト装置の駆動方法。
【発明の詳細な説明】
【技術分野】
【０００１】
本発明は、１つのフレームに対応する映像信号の輝度を時分割した暗表示のサブフレームの輝度と明表示のサブフレームの輝度との合計により表示し、かつ走査線に平行な方向に配置された複数の直下型バックライトを走査信号に同期して順次点灯させる液晶表示装置及びその駆動方法、並びに液晶表示装置に用いられるバックライト装置及びその駆動方法に関するものである。
【背景技術】
【０００２】
アクティブマトリクス型の液晶表示装置は、ある１画素に着目した場合、データの書き込みによって色や明るさは変化するものの、次にデータが変化するまで定常的に表示が保持されるホールド型駆動の表示装置である。
【０００３】
したがって、液晶表示装置では、現在のフレームだけではなく、直前のフレームも認識されてしまうので、「動きぼけ」又は「エッジボケ」による動画表示品位の低下を招いていた。
【０００４】
そこで、この問題を解決するために、例えば、特許文献１に開示されたアクティブマトリクス型の液晶表示装置では、複数の直下型バックライトを該走査線に平行な方向に配置し、全走査線が走査される１フィールド期間内に、走査信号に同期して各直下型バックライトが順次点滅するように制御している。
【０００５】
この方法により、見掛け上の映像信号のホールド期間を短くし、液晶表示装置を見掛け上インパルス型駆動させることによって動画表示性能を向上させることができる。すなわち、各画素について考えると、各フレーム期間において、画像信号の書き換えから一定の遅延時間が経過した後の所定期間にのみバックライトを点灯する。これにより、液晶光学応答の変化の途中経過が観視者にあまり見えず、また、各画素の発光がインパルス状になるので、動画表示における画質が向上する。
【０００６】
また、特許文献１では、この擬似インパルス駆動を行うときに、バックライトの点灯期間をさらに点灯時間と消灯時間とへ時分割して照明することを開示している。これにより、点灯時間と消灯時間との比を制御することにより、バックライトすなわち表示パネルの輝度を制御することが可能であるとしている。例えば、バックライトすなわち表示パネルの輝度を同一にすることが可能であるとしている。
【０００７】
一方、このような擬似インパルス駆動は、光源である線状ランプをフレーム周期に同期させて点滅（オン／オフ）させるものであり、線状ランプはオフ状態では完全に消灯している（放電が停止している）。したがって、表示画面の輝度は消灯期間分低下してしまうと共に、線状ランプは放電停止の状態から次の放電を開始することになり、発光効率が低下し、また発光の立ち上がりに遅れを持つことから、線状ランプの点灯期間に画面の十分な輝度を確保することが困難である。
【０００８】
そこで、特許文献２では、この問題を解決するために、オフ期間でもピーク電流を小さくして線状ランプを駆動する。具体的には、図１２に示すように、従来ではＩＬ２のようにオフ期間には線状ランプを完全に電流０としていたのに対し、特許文献１の方法では、ＩＬ１にて示すように、オフ期間でもオン期間の３０％〜５０％で線状ランプに流し、放電を継続させる。
【０００９】
これにより、オン時の輝度とオフ時の輝度とに差を設けることができる一方、オフ時にも線状ランプの放電を継続して低い輝度での照明が行われるために、擬似インパルス駆動を行うことによる液晶表示パネルの輝度低下を抑制できるものとなっている。
【特許文献１】特開２００２−２０７４６３号公報（平成１４年７月２６日公開）
【特許文献２】特開２００４−２５２１２７号公報（平成１６年９月９日公開）
【発明の開示】
【発明が解決しようとする課題】
【００１０】
しかしながら、上記従来の走査型バックライトによる擬似インパルス駆動の液晶表示装置において、オフ時にも線状ランプの放電を継続して低い輝度での照明を行う場合には、オン時の輝度とオフ時の輝度とに差があり、却ってフリッカが発生するという問題点を有している。
【００１１】
この問題は、インパルス刺激が個別の刺激として認識されるためと考えられる。
【００１２】
本発明は、上記従来の問題点に鑑みなされたものであって、その目的は、暗表示のサブフレーム期間にも直下型バックライトの放電を継続する場合に、フリッカの発生を防止し得る液晶表示装置及びその駆動方法、並びに液晶表示装置に用いられるバックライト装置及びその駆動方法を提供することにある。
【課題を解決するための手段】
【００１３】
本発明の液晶表示装置は、上記課題を解決するために、互いに交差して設けられた複数のデータ線と複数の走査線との交差部近傍にスイッチング素子が設けられ、該スイッチング素子を介してマトリクス状の画素電極に該データ線が接続されていると共に、１つのフレームに対応する映像信号の輝度を時分割した暗表示のサブフレームの輝度と明表示のサブフレームの輝度との合計により表示し、かつ上記走査線に平行な方向に配置された複数の直下型バックライトを走査信号に同期して順次点灯させる液晶表示装置において、上記直下型バックライトを、上記暗表示のサブフレーム期間と明表示のサブフレーム期間との両方に対して同一のピーク輝度にて点灯させるバックライト駆動手段が設けられていると共に、上記バックライト駆動手段は、上記暗表示のサブフレーム期間における直下型バックライトの平均オン時間比率が明表示のサブフレーム期間における直下型バックライトの平均オン時間比率に対し、１／３以下となるように直下型バックライトを点灯駆動することを特徴としている。
【００１４】
また、本発明の液晶表示装置の駆動方法は、上記課題を解決するために、互いに交差して設けられた複数のデータ線と複数の走査線との交差部近傍にスイッチング素子が設けられ、該スイッチング素子を介してマトリクス状の画素電極に該データ線が接続されていると共に、１つのフレームに対応する映像信号の輝度を時分割した暗表示のサブフレームの輝度と明表示のサブフレームの輝度との合計により表示し、かつ上記走査線に平行な方向に配置された複数の直下型バックライトを走査信号に同期して順次点灯させる液晶表示装置の駆動方法において、上記直下型バックライトを、上記暗表示のサブフレーム期間と明表示のサブフレーム期間との両方に対して同一のピーク輝度にてパルス状に点灯させると共に、上記暗表示のサブフレーム期間における直下型バックライトの平均オン時間比率が明表示のサブフレーム期間における直下型バックライトの平均オン時間比率に対し、１／３以下となるように直下型バックライトを点灯駆動することを特徴としている。
【００１５】
また、本発明のバックライト装置は、上記課題を解決するために、上記記載の液晶表示装置に用いられるバックライト装置であって、各直下型バックライトは、暗表示期間と明表示期間とを有しており、上記暗表示期間及び明表示期間のピーク輝度は同一であると共に、上記暗表示期間及び明表示期間のライト点灯期間は互いに異なっていることを特徴としている。
【００１６】
また、本発明のバックライト装置は、上記課題を解決するために、上記記載の液晶表示装置に用いられるバックライト装置であって、各直下型バックライトは、暗表示期間と明表示期間とを有しており、上記暗表示期間及び明表示期間のピーク輝度は同一であると共に、上記明表示期間は暗表示期間と同じか又は暗表示期間よりも長くなっており、かつ暗表示期間と明表示期間とを交互に繰り返すことを特徴としている。
【００１７】
また、本発明のバックライト装置の駆動方法は、上記課題を解決するために、上記記載の液晶表示装置に用いられるバックライト装置の駆動方法であって、各直下型バックライトは、暗表示期間と明表示期間とを有しており、上記暗表示期間及び明表示期間のピーク輝度は同一であると共に、上記暗表示期間及び明表示期間のライト点灯期間は互いに異なっていることを特徴としている。
【００１８】
また、本発明のバックライト装置の駆動方法は、上記課題を解決するために、上記記載の液晶表示装置に用いられるバックライト装置の駆動方法であって、各直下型バックライトは、暗表示期間と明表示期間とを有しており、上記暗表示期間及び明表示期間のピーク輝度は同一であると共に、上記明表示期間は暗表示期間と同じか又は暗表示期間よりも長くなっており、かつ暗表示期間と明表示期間とを交互に繰り返すことを特徴としている。
【００１９】
なお、本発明では、「同一のピーク輝度にて点灯させる」としているが、厳密な意味での同一は要求されず、１対０．８〜１．３の同一で足りる。
【００２０】
上記の発明によれば、バックライト駆動手段は、直下型バックライトを、上記暗表示のサブフレーム期間と明表示のサブフレーム期間との両方に対して同一のピーク輝度にて点灯させる。このため、走査型バックライトによる擬似インパルス駆動の液晶表示装置において、暗表示のサブフレーム期間にも直下型バックライトの放電を同一ピーク輝度にて継続してオンするので、暗表示のサブフレーム期間でのオン時の輝度が低下する等の問題がなくなる。したがって、フリッカの発生を防止することができる。
【００２１】
一方、直下型バックライトを、暗表示のサブフレーム期間と明表示のサブフレーム期間との両方に対して同一のピーク輝度にて点灯させた場合に、暗表示のサブフレーム期間における直下型バックライトの全オン時間と明表示のサブフレーム期間における直下型バックライトの全オン時間との割合が大きい場合には、暗表示のサブフレーム期間における輝度が大きくなり擬似インパルス駆動の効果がなくなる。
【００２２】
この点、本発明では、暗表示のサブフレーム期間における直下型バックライトの平均オン時間比率が明表示のサブフレーム期間における直下型バックライトの平均オン時間比率に対し、１／３以下となるように直下型バックライトを点灯駆動している。
【００２３】
すなわち、一般に動画におけるインパルス効果は、明期間に対し暗期間の明るさが１／３以下であればその効果を視認できるといわれている。また、発明者らの主観評価によってもこの結果を支持する。
【００２４】
したがって、この関係を保って直下型バックライトを点灯駆動すれば、十分に擬似インパルス駆動の効果を保持することができる。
【００２５】
この結果、暗表示のサブフレーム期間にも直下型バックライトの放電を継続する場合に、フリッカの発生を防止し得る液晶表示装置及びその駆動方法、並びに液晶表示装置に用いられるバックライト装置及びその駆動方法を提供することができる。
【００２６】
また、本発明の液晶表示装置では、前記バックライト駆動手段は、暗表示のサブフレーム期間における直下型バックライトのオフ時間のパルス間隔を３ｍｓｅｃ以下に設定していることが好ましい。
【００２７】
また、本発明の液晶表示装置の駆動方法では、前記暗表示のサブフレーム期間における直下型バックライトのオフ時間のパルス間隔を３ｍｓｅｃ以下に設定することが好ましい。
【００２８】
ここで、「パルス間隔」について説明する。バックライトの光源には、ＬＥＤ又は冷陰極管等の光源の何を用いても良いが、冷陰極管等を光源として用いた場合、その発光特性、電気特性等の多くの意味で厳密なパルス波形となることは少ない。したがって、本発明では、「パルス」の意味として、現象的に「複数（２回以上）の明るい明輝度期間と、その明るい明輝度よりも暗いそれ以外の期間とから構成された点灯状態」として解釈するものとする。すなわち、過渡応答的にピークが発生したり、なまりが発生したりしていても本発明には関係ないものとする。
【００２９】
上記の発明によれば、暗表示のサブフレーム期間における直下型バックライトのオフ時間のパルス間隔が３ｍｓｅｃ以下となっているので、人間の目には、消灯しているとしては認識されない。
【００３０】
すなわち、本発明では、平均オン時間比率が明表示のサブフレーム期間における直下型バックライトの平均オン時間比率に対し、１／３以下となるように直下型バックライトを点灯駆動しているが、ベストモードの暗期間のトータル期間と明期間のトータル期間との比率は１：４である。この場合、例えば、明期間のトータル期間を０．１ｍｓｅｃとするならば暗期間の点灯期間のトータル期間は０．０２５ｍｓｅｃであり、そのときの明期間の明暗それぞれのパルス期間は逆に０．１ｍｓｅｃと０．０２５ｍｓｅｃ等のようになる。この場合、暗期間が１／５でありかつ明期間が４／５であるので、４：１でのインパルスが実現できることになる。
【００３１】
ただし、このような駆動は冷陰極管では実現不可能である。したがって、フリッカの改善効果を目的とするとオフ期間のパルス幅は短ければ短いほどよいが、実際には、バックライト光源の発光応答特性（暗期間においては特にオン期間はオフ期間よりさらに短い。）の限界から自ずと設定されうる最小値は決定する。このため、用いる光源の発光応答特性に応じてピーク輝度を実現可能な最小パルス幅を暗期間のオン期間パルス幅として設定すればよい。さらに、工業的な効果を考えれば、パルス幅を短くし過ぎることは周波数が上がるので、電磁波対策、電流効率、及び信頼性等の多くのコストアップ要因が発生し好ましくない。
【００３２】
この結果、本発明では、消灯を認識できない３ｍｓｅｃ以下で十分な明期間と暗期間との輝度比が得られる最大時間を設定することが好ましい。
【００３３】
また、本発明の液晶表示装置では、前記複数の直下型バックライトのうちの一部の複数の直下型バックライト毎に点灯する複数行点灯駆動手段が設けられていることが好ましい。
【００３４】
これにより、複数の直下型バックライトを走査信号に同期して順次点灯させる場合に、複数の直下型バックライト毎に順次点灯させることができる。
【００３５】
また、本発明の液晶表示装置では、前記直下型バックライトは、ＬＥＤにてなっていることが好ましい。
【００３６】
上記の発明によれば、直下型バックライトをＬＥＤにて構成することによって、複雑な点灯駆動回路を設けなくても、容易に任意のパルス駆動を行うことができる。
【００３７】
また、本発明の液晶表示装置では、前記直下型バックライトは、冷陰極管にてなっているとすることができる。
【００３８】
上記の発明によれば、直下型バックライトを冷陰極管にて構成することによって、従来から一般にバックライトとして使用されている冷陰極管を用いて、暗表示のサブフレーム期間にもバックライトの放電を継続する場合に、フリッカの発生を防止し得る液晶表示装置を提供することができる。
【発明の効果】
【００３９】
本発明の液晶表示装置及びその駆動方法、並びに液晶表示装置に用いられるバックライト装置及びその駆動方法は、以上のように、直下型バックライトを、上記暗表示のサブフレーム期間と明表示のサブフレーム期間との両方に対して同一のピーク輝度にて点灯させると共に、暗表示のサブフレーム期間における直下型バックライトの平均オン時間比率が明表示のサブフレーム期間におけるバックライトの平均オン時間比率に対し、１／３以下となるように直下型バックライトを点灯駆動する。
【００４０】
それゆえ、暗表示のサブフレーム期間にも直下型バックライトの放電を継続する場合に、フリッカの発生を防止し得る液晶表示装置及びその駆動方法、並びに液晶表示装置に用いられるバックライト装置及びその駆動方法を提供することができるという効果を奏する。
【発明を実施するための最良の形態】
【００４１】
〔実施の形態１〕
本発明の一実施形態について図１ないし図６に基づいて説明すれば、以下の通りである。なお、本実施の形態では、バックライトとしてＬＥＤ（Light Emitting Diode）を用いた場合の液晶表示装置について説明する。
【００４２】
本実施の形態の液晶表示装置１０は、図２に示すように、ガラス基板からなるアレイ基板１と対向基板２とが液晶を介して所定の間隔で対向して設けられている。上記対向基板２には、略全面に図示しない共通電極が形成されている。
【００４３】
アレイ基板１には、複数のデータ線３と複数の走査線４とが互いに交差するように設けられ、両配線でマトリクス状に区切られた画素領域には画素電極５が設けられている。両配線の交差部近傍にはスイッチング素子としてのＴＦＴ（Thin Film Transistor：薄膜トランジスタ）６が配置されている。ＴＦＴ６のソース電極はデータ線３に接続され、ゲート電極は走査線４に接続され、ドレイン電極は保持容量７と液晶８とに面した画素電極５に接続されている。
【００４４】
各データ線３はソースドライバ１１に接続され、各走査線４はゲートドライバ１２に接続されている。上記ソースドライバ１１及びゲートドライバ１２はコントロール回路１３に接続されて、各々制御される。
【００４５】
また、本実施の形態では、上記アレイ基板１の裏面には、バックライト装置としてのバックライト２０として例えばＬＥＤ２１が敷設されている。
【００４６】
上記液晶表示装置１０では、映像信号の制御は以下のように行われる。
【００４７】
先ず、画像データ信号、垂直・水平同期信号及び電源電圧からなる外部データ信号をコントロール回路１３に入力し、垂直・水平同期信号を基にして、ソースドライバ１１にデータを取り込むためのクロック信号や走査線４を切り換えるためのクロック信号を生成する。ソースドライバ１１は、スタートパルスの立ち上がりと同時にシフトレジスタの動作を開始し、クロックにより動作を行う。なお、本実施の形態では、液晶表示駆動におけるフレームの周期は６０Ｈｚとなっている。
【００４８】
クロックと同時に入力されるデータをシフトレジスタによって選択されたサンプリングメモリに格納し、１水平ライン全ての表示データが送られると、コントロール回路１３からラッチパルスを出力する。ソースドライバ１１がラッチパルスを受け取ると、ホールドメモリがサンプリングメモリに格納されているデータを一括してラッチする。ラッチされたデータはＤ／Ａ変換してデータ線３に出力し、走査線４の１本にオン電圧を加えることにより、ＴＦＴ６の横１行全部をオン状態にする。これにより、データ１ライン分が表示される。上記動作を同様に繰り返しながら全走査線４に対して上下方向に走査して全ラインを駆動する。このとき、走査線４の画面上から下への走査に伴って、順次、直下型のＬＥＤ２１が点灯される。このバックライト２０の駆動は、バックライト駆動部３０にて行われる。
【００４９】
ところで、本実施の形態の液晶表示装置１０では、１つのフレームに対応する映像信号を２つのサブフレームに分割し、暗表示のサブフレームと明表示のサブフレームとの合計で、映像を表示し、かつ、バックライト２０をそれぞれのサブフレームで暗、明制御するようになっている。
【００５０】
したがって、本実施の形態では、バックライト２０を制御することにより、暗表示サブフレーム期間と明表示サブフレーム期間とでバックライト２０の明るさを変えるものであるから、当然、表示パネルのアスペクト比や画素数（特に垂直方向の画素数）とバックライト２０の構成とは一定の関係が存在している。本実施の形態では、例えば画素数：１９２０（水平）×１０８０（垂直）、アスペクト比が１６対９のフルハイビジョンの規格に適合した表示パネルに対応したバックライト２０となっている。
【００５１】
ところで、従来の走査型バックライトによる擬似インパルス駆動の液晶表示装置において、オフ時にも線状ランプの放電を継続して低い輝度での照明を行う場合には、オン時の輝度とオフ時の輝度とに差があり、却ってフリッカが発生するという問題点を有していた。この問題は、インパルス刺激が個別の刺激として認識されるためと考えられる。
【００５２】
本実施の形態の液晶表示装置１０では、この問題点を解決するために、図１に示すように、バックライト２０の消灯期間にも時間分割してバックライト２０を点灯する。そして、その消灯期間におけるピーク輝度を点灯期間のピーク輝度と同じにすると共に、暗表示のサブフレーム期間におけるバックライト２０の平均オン時間比率が明表示のサブフレーム期間におけるバックライト２０の平均オン時間比率に対し、１／３以下、好ましくは１／４以下となるようにしている。これにより、フリッカを防止をすることができるものとなっている。なお、図１では、縦軸をＬＥＤ２１の電流値で示している。すなわち、電流値とピーク輝度とは比例関係にあるので、同図は消灯期間におけるピーク輝度と点灯期間のピーク輝度とが同じであることを示している。
【００５３】
すなわち、バックライト２０の点灯について、図３（ａ）に示すように、点灯時間Ｔ１と非点灯時間Ｔ２とのパルスを考えた場合、図３（ｂ）に示すように、ピーク輝度が異なる場合には、人間の目にはフリッカとして見える。この現象は、ピーク輝度が異なる場合には、非点灯時間Ｔ２が短くても同じである。
【００５４】
これに対して、図３（ｃ）に示すように、暗表示期間におけるバックライト２０のピーク輝度を明表示期間におけるバックライト２０のピーク輝度と同じにした場合には、同じ強度で目を刺激するので、フリッカにならないことが医学的に判明されている。
【００５５】
そこで、本実施の形態では、バックライト２０を、暗表示のサブフレーム期間と明表示のサブフレーム期間との両方に対して同一のピーク輝度にて点灯させると共に、暗表示のサブフレーム期間におけるバックライト２０の平均オン時間比率が明表示のサブフレーム期間におけるバックライト２０の平均オン時間比率に対し、例えば１／４以下となるように点灯駆動する。なお、この駆動は、バックライト駆動手段としてのバックライト駆動部３０が行う。これにより、フリッカを防止をすることができるものとなっている。
【００５６】
具体的には、暗表示のサブフレーム期間におけるバックライト２０のオフ時間のパルス間隔を３ｍｓｅｃ以下に設定することが好ましく、本実施の形態では、例えば１．６ｍｓｅｃとしている。
【００５７】
なお、上述の説明では、消灯期間におけるピーク輝度を点灯期間のピーク輝度と同じにするとしているが、厳密な同一は要求されない。
【００５８】
すなわち、本実施の形態のバックライト２０では、暗表示のサブフレーム期間のバックライトの輝度と、明表示のサブフレーム期間のバックライト２０の輝度との比を例えば、１対０．８〜１．３にすることで足りる。さらに、１対０．９〜１．２がより好ましい。１対０．８よりも小さいと暗期間を消灯として認識することがあり得る。一方、１対１．３よりも大きいと、逆に点灯期間として認識する。いずれにしてもフリッカが認識され易くなり好ましくない。また、視覚特性からすると１よりも大きな比率に対してはマージンが多少大きいというように実評価の中では考えられる。しかし、暗期間のより短いオンパルスで明期間の輝度を上回るためには、特に、輝度を上昇させるための回路が別途必要となり好ましくない。したがって、特に好ましくは１対０．９〜１．０の間に設定される。
【００５９】
上記構成を備えたバックライト２０及びそのバックライト２０を駆動するバックライト駆動部３０について、図４に基づいて以下に詳述する。図４は、本実施の形態のＬＥＤ２１からなるバックライト２０における当該ＬＥＤ２１の配置、及びこのバックライト２０を駆動するバックライト駆動部３０の構成を示すブロック図である。
【００６０】
本実施の形態のＬＥＤ２１は、白色光を発光するＬＥＤ２１であり、直下型のバックライト２０となっている。すなわち、液晶パネルのアレイ基板１の背面にＬＥＤ２１が敷設されている。
【００６１】
上記１つのＬＥＤ２１の大きさは約１ｃｍ２〜４ｃｍ２の程度である。上記ＬＥＤ２１は、液晶パネルの有効表示部のサイズとほぼ等しいサイズになるように、横にｋ個、かつ縦にｌ個が敷き詰められている。具体的には、例えば、横ＬＥＤ４０個、縦ＬＥＤ２７個である。
【００６２】
上記横のｋ個は直列に接続してあり、後述するバックライト駆動部３０からの制御信号Ｆcｌにしたがって、制御信号Ｆcｌがローレベルになったとき、その選択された行のＬＥＤ２１が点灯するようになっている。
【００６３】
上記バックライト２０を駆動するバックライト駆動部３０の構成について説明する。
【００６４】
すなわち、バックライト駆動部３０は、ＤＣ／ＤＣコンバータ３１と、クロック発生部３２と、コントローラ３３と、出力回路３４とからなっている。
【００６５】
ＤＣ／ＤＣコンバータ３１は、入力電圧Ｖinを出力電圧Ｖoutに変換する電源回路である。このＤＣ／ＤＣコンバータ３１によって、選択された行のバックライトＤ（１，ｌ）のアノード電圧をＶa1,lとすると、選択された行の各ＬＥＤ２１には（Ｖｏｕｔ−Ｖａ１，ｌ）÷Ｒｌ＝Ｉｌの電流が流れ、前記電流で決まる所望の輝度でＬＥＤ２１が発光する。
【００６６】
上記クロック発生部３２は、クロックを発生する。クロック発生部３２で発生するクロック周波数は、水平同期信号の誤差を充分少なくして、コントローラ３３がカウントできる周波数であれば良く、例えば６．９１２ＭＨｚ以上であれば良い。本実施の形態では、例えば、１３．８２４ＭＨｚとした。
【００６７】
コントローラ３３には、カウンタ３３aと制御信号発生部３３ｂと遅延回路３３ｃとが設けられており、クロック発生部３２のクロックに同期して、各種制御信号を発生する。
【００６８】
カウンタ３３ａは複数個設ける。第２のカウンタは、ＶＤ信号を受けて、ＶＤ信号をカウントし、第１のサブフレームの期間であるか又は第２のサブフレーム期間であるかの情報を、制御信号発生部３３ｂへ送信する。制御信号発生部３３ｂは、上記第２のカウンタの情報を受け、第１のサブフレームの期間に対応した制御内容と、第２の期間に対応した制御内容とを切り替える。
【００６９】
上記コントローラ３３の制御動作を、図５に基づいて説明する。
【００７０】
上記制御信号発生部３３ｂが上記ＶＤ信号を第１サブフレームの期間のＶＤ信号であると判断すると、第１のカウンタが、ＨＤ信号をカウントし、ＨＤ信号を４０個カウントするまで、制御信号発生部３３ｂは制御信号Ｆc１をハイレベルにする(図５のｔs１)。このｔs１の意味は第１行目のバックライトＤ（ｉ，１）（１≦ｉ≦ｋ）の点灯開始を対応する表示パネルの４０行目の走査（４０行目の各画素の液晶への電荷の書き込み）が完了するまで、遅らすために設けている。
【００７１】
第１のカウンタが、ＨＤ信号の４１番目をカウントすると、制御信号発生部３３ｂは制御信号Ｆc１をローレベルにし、ＨＤ信号の９４番目（５４Ｈ）をカウントするまで制御信号Ｆc1をローレベルにする。(図５のｔ１)
第１のカウンタが、ＨＤ信号の９５番目をカウントすると、制御信号発生部３３ｂは制御信号Ｆc１をハイレベルにし、第１行目のバックライトＤ（ｉ，１）を消灯し、ＨＤ信号を１６２個カウントするまで第１行目のバックライトＤ（ｉ，１）を消灯させる(図３のｔ２)。ここで、第１のカウンタを０から２１６までの２１７進カウンタにしておくと、ｔ１＋ｔ２の周期でｔ１のオン期間をもたせて、第１行目のバックライトＤ（ｉ，１）を点灯制御できることになる。
【００７２】
第１サブフレームの期間のＶＤ信号が入力された後、ＨＤ信号の４０番目と４１番目との間で、第１のカウンタをリセットし、リセット後に入力されるＨＤ信号の５４番目と５５番目との間で、第１のカウンタをリセットし、リセット後に入力されるＨＤ信号の１６２番目と１６３番目との間で、第１のカウンタをリセットするように、第１のカウンタを構成しても良い。いずれにしても、カウンタ３３ａは７ビット必要である。
【００７３】
第２サブフレームの期間については、第１のカウンタは、第２サブフレームのＶＤ信号が入力された後もＨＤ信号のカウントを継続し、ＨＤ信号を４０個カウントする期間（ts２）、ｔ３はＨＤ信号を１６２個カウントする期間、ｔ４はＨＤ信号を１６２個カウントする期間に設定した。このように設定して、第１行目のバックライトＤ（ｉ，１）を、第１サブフレームの期間には、オン/オフ比を１対３に、第２サブフレームの期間には、オン／オフ比を３対１にして駆動している。これにより、暗表示のサブフレームと明表示のサブフレームのバックライトの輝度比を１対３にしている。
【００７４】
制御信号発生部３３ｂは、前述したようにして、制御信号Ｆc１を発生させる。そして、制御信号Ｆc１を遅延回路３３ｃに入力することにより、制御信号Ｆc２よりも４０Ｈずつ遅延した制御信号Ｆc１、Ｆc３… Ｆc２７を発生させる。
【００７５】
なお、フレーム判別信号をコントローラ３３に直接入力できる場合は、前記第２のカウンタは、省略して、フレーム判別信号を直接、制御信号発生部３３ｂへ入力しても良い。
【００７６】
なお、上記の構成において、例えば、図６に示すように、遅延回路４１をコントローラ３３の外部に設けると共に、遅延回路４１と出力回路３４との間に複数行点灯駆動手段としてのマルチプレクサ４２を設けたバックライト駆動部４０とすることが可能である。このような構成にすると、制御信号Ｆc１、Ｆc２、Ｆc３をＦc１から８０Ｈ遅延した同相の制御信号で駆動したり、制御信号Ｆc１よりも４０Ｈずつ遅延した制御信号Ｆc１、Ｆc２、Ｆc３で駆動したりすることにより、バックライト２０の駆動方法を選択できる。つまり、本発明は、バックライト２０を１行ずつオン/オフの位相を制御する駆動方法に限定されないのであって、複数行のバックライト２０を同位相で同時に駆動しても良い。
【００７７】
このように、本実施の形態の液晶表示装置１０及びその駆動方法、並びに液晶表示装置１０に用いられるバックライト２０及びその駆動方法では、バックライト駆動部３０は、バックライト２０を、暗表示のサブフレーム期間と明表示のサブフレーム期間との両方に対して同一のピーク輝度にて点灯させる。このため、走査型バックライトによる擬似インパルス駆動の液晶表示装置１０において、暗表示のサブフレーム期間にもバックライト２０の放電を同一ピーク輝度にて継続してオンするので、暗表示のサブフレーム期間でのオン時の輝度が低下する等の問題がなくなる。したがって、フリッカの発生を防止することができる。
【００７８】
一方、バックライト２０を、暗表示のサブフレーム期間と明表示のサブフレーム期間との両方に対して同一のピーク輝度にて点灯させた場合に、暗表示のサブフレーム期間におけるバックライト２０の全オン時間と明表示のサブフレーム期間におけるバックライト２０の全オン時間との割合が大きい場合には、暗表示のサブフレーム期間における輝度が大きくなり擬似インパルス駆動の効果がなくなる。
【００７９】
この点、本実施の形態では、暗表示のサブフレーム期間におけるバックライト２０の平均オン時間比率が明表示のサブフレーム期間におけるバックライト２０の平均オン時間比率に対し、例えば１／３以下となるようにバックライト２０を点灯駆動している。すなわち、一般に動画におけるインパルス効果は、明期間に対し暗期間の明るさが１／３以下であればその効果を視認できるといわれている。また、発明者らの主観評価によってもこの結果を支持する。
【００８０】
したがって、この関係を保ってバックライト２０を点灯駆動すれば、十分に擬似インパルス駆動の効果を保持することができる。
【００８１】
この結果、暗表示のサブフレーム期間にもバックライト２０の放電を継続する場合に、フリッカの発生を防止し得る液晶表示装置１０及びその駆動方法、並びに液晶表示装置１０に用いられるバックライト２０及びその駆動方法を提供することができる。
【００８２】
また、本実施の形態の液晶表示装置１０及びその駆動方法、並びに液晶表示装置１０に用いられるバックライト２０及びその駆動方法では、バックライト駆動部３０・４０は、暗表示のサブフレーム期間におけるバックライト２０のオフ時間のパルス間隔を３ｍｓｅｃ以下に設定していることが好ましい。
【００８３】
これにより、暗表示のサブフレーム期間におけるバックライトのオフ時間のパルス間隔を３ｍｓｅｃ以下となっているので、人間の目には、消灯しているとしては認識されない。すなわち、この期間は、人間の目には点灯しているとして認識されるが、暗表示期間を示すものとなっている。
【００８４】
ここで、本実施形態では、明暗それぞれのサブフレーム期間を１／１２０秒の倍速でバックライト２０を駆動する。したがって、暗表示期間の点灯パルス幅（点灯期間５４Ｈ≒０．４３ｍｓ、消灯期間１６２Ｈ≒１．３ｍｓ）、明表示期間の点灯パルス幅（点灯期間１６２Ｈ≒１．３ｍｓ、消灯期間５４Ｈ≒０．４３ｍｓ）となり、平均オン時間比率を１／３としてバックライト２０を駆動するので、動画表示品位を向上できる。また、暗表示期間の消灯期間（消灯パルス間隔）を１．３ｍｓ＜３ｍｓとしたので、フリッカを発生させることなく暗表示期間も表示に寄与させることができ、液晶表示装置１０の表示輝度を向上させることができる。
【００８５】
この結果、本実施の形態では、消灯を認識できない３ｍｓｅｃ以下で十分な明期間と暗期間との輝度比が得られる最大時間を設定することが好ましい。
【００８６】
また、本実施の形態の液晶表示装置１０では、複数のバックライト２０のうちの一部の複数のバックライト２０毎に点灯するマルチプレクサ４２が設けられていることが好ましい。
【００８７】
これにより、複数のバックライト２０を走査信号に同期して順次点灯させる場合に、複数のバックライト２０毎に順次点灯させることができる。
【００８８】
また、本実施の形態の液晶表示装置１０及びその駆動方法では、バックライト２０は、ＬＥＤ２１にてなっていることが好ましい。
【００８９】
それゆえ、バックライト２０をＬＥＤ２１にて構成することによって、複雑な点灯駆動回路を設けなくても、容易に任意のパルス駆動を行うことができる。
【００９０】
〔実施の形態２〕
本発明の他の実施の形態について図７ないし図１１に基づいて説明すれば、以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００９１】
本実施の形態の液晶表示装置１０では、前記実施の形態１のＬＥＤ２１のバックライト２０に代えて、冷陰極管５１からなるバックライト装置としてのバックライト５０を使用している。
【００９２】
すなわち、冷陰極管５１からなるバックライト５０の駆動電圧は１０００Ｖ前後の値であり、前記実施の形態１で示したＬＥＤ２１からなるバックライト２０のようにトランジスタで直接冷陰極管５１を駆動することができない。トランジスタの耐圧が駆動電圧以下であるためである。したがって、インバータを用いて駆動することになる。
【００９３】
本実施の形態の冷陰極管５１を使用したバックライト５０について、図７及び図８に基づいて説明する。
【００９４】
図７に示すように、例えば、冷陰極管５１からなるバックライト５０は、冷陰極管５１を列方向に２７個設けている。したがって、バックライト駆動部３０のタイミング関係は、ＬＥＤ２１からなるバックライト２０のタイミング関係をそのまま用いることができる構成となっている。
【００９５】
したがって、本実施の形態では、出力回路３４をインバータ５４ａからなる出力回路５４に変えたことと、制御信号Ｆc1がハイレベルの期間（選択された行）、冷陰極管５１が所定の周波数で点灯する構成としたことと（図８参照）、極性変更のためにマルチプレクサ４２の後段のバッファアンプ４３を反転型バッファアンプ５３としたことと以外は、前記実施の形態１のＬＥＤ２１を使用したバックライト２０の場合と、構成及びタイミング関係を同じにしている。
【００９６】
前記実施の形態１で説明したＬＥＤ２１を使用したバックライト２０もコントローラ３３を冷陰極管５１を使用したバックライト５０のコントローラ３３にも共用できるようにするために、点灯期間を設定すると、設定された期間固有の周波数で発振するタイプのインバータ５４ａを使用している。
【００９７】
例えば、図９において、コイルをＬ1、Ｌ２とし、コンデンサをＣ１とし、かつＬ１＝Ｌ２に設定すると、
固有の発振周波数（ｆ）＝１÷２π√Ｌ１Ｃ１
となる。本実施の形態では、ｆ＝３０ＫＨｚとしたが、２０ＫＨｚ以上であれば、暗期間の１点灯期間に１０回以上発振させることが（本実施形態は冷陰極管両側駆動なので、２０回以上の放電電流のピークをそろえることが）できる。この結果、暗、明の輝度比を誤差を少なくして、正確に調整できる。
【００９８】
なお、図７における制御信号出力の極性を切り替え可能にしておいても良い。このようにすると、コントローラ３３をＬＥＤ２１のバックライト２０と冷陰極管５１のバックライト５０とを共用できる。
【００９９】
なお、上記の構成において、バックライト５０を片側駆動の構成にすることが可能である。
【０１００】
例えば、図９に示すように、冷陰極管５１を使用したバックライト装置としてのバックライト６０における冷陰極管５１の数は、上述の説明と同じで２７個であるが、片側駆動の構成にしたバックライト６０となっている。
【０１０１】
すなわち、図９に示すように、制御信号Ｆc1は、垂直同期信号よりも４０Ｈ（ｔs1）遅延してローレベルを出力する設定（マルチプレクサ４２を設定）にしている。具体的には、ｔ１＝２７Ｈ、続く２７Ｈの制御信号Ｆc1をハイレベルとする制御を１セットとする制御を行っている。暗表示期間は、２１６周期に１回５４Ｈ期間、バックライト６０が点灯し、明表示期間には、２１６周期に３回、１６２Ｈ期間バックライト６０が点灯する。暗明比は１対３である。
【０１０２】
上記に説明したように、本実施の形態のバックライト６０は、暗表示期間と明表示期間のパルス幅は固定で、バックライト６０の点灯期間（回数）を時分割で制御している。このような時分割制御を用いると、ＤＣ／ＤＣコンバータ３１の出力電圧Ｖoutを調整しなくても、５４Ｈ期間に制御信号Ｆc1がローレベルになる期間をソフト的に切り替えることによって、簡単にバックライト６０の輝度調整をすることが可能となる。ただし、制御信号Ｆc1をローレベルにする期間は２７Ｈ以下が好ましく、バックライト６０が安定的に点灯する期間以上が必要である。
【０１０３】
このように、本実施の形態の液晶表示装置１０及びその駆動方法、並びに液晶表示装置１０に用いられるバックライト５０・６０及びその駆動方法では、図１１に示すように、バックライト駆動部３０は、バックライト５０を、暗表示のサブフレーム期間と明表示のサブフレーム期間との両方に対して同一のピーク輝度にて点灯させる。このため、走査型バックライトによる擬似インパルス駆動の液晶表示装置１０において、暗表示のサブフレーム期間にもバックライト５０の放電を同一ピーク輝度にて継続してオンするので、暗表示のサブフレーム期間でのオン時の輝度が低下する等の問題がなくなる。したがって、フリッカの発生を防止することができる。
【０１０４】
一方、バックライト５０を、暗表示のサブフレーム期間と明表示のサブフレーム期間との両方に対して同一のピーク輝度にて点灯させた場合に、暗表示のサブフレーム期間におけるバックライト５０の全オン時間と明表示のサブフレーム期間におけるバックライト５０の全オン時間との割合が大きい場合には、暗表示のサブフレーム期間における輝度が大きくなり擬似インパルス駆動の効果がなくなる。
【０１０５】
この点、本実施の形態では、暗表示のサブフレーム期間におけるバックライト５０の平均オン時間比率が明表示のサブフレーム期間におけるバックライト５０の平均オン時間比率に対し、１／３以下となるようにバックライト２０を点灯駆動している。すなわち、一般に動画におけるインパルス効果は、明期間に対し暗期間の明るさが１／３以下であればその効果を視認できるといわれている。また、発明者らの主観評価によってもこの結果を支持する。
【０１０６】
したがって、この関係を保ってバックライト５０を点灯駆動すれば、十分に擬似インパルス駆動の効果を保持することができる。
【０１０７】
この結果、暗表示のサブフレーム期間にもバックライト５０・６０の放電を継続する場合に、フリッカの発生を防止し得る液晶表示装置１０及びその駆動方法、並びに液晶表示装置１０に用いられるバックライト５０・６０及びその駆動方法を提供することができる。
【０１０８】
また、本実施の形態の液晶表示装置１０では、バックライト５０・６０は、冷陰極管５１にてなっているとすることができる。このように、バックライト５０・６０を冷陰極管５１にて構成することによって、従来から一般にバックライトとして使用されている冷陰極管５１を用いて、暗表示のサブフレーム期間にもバックライト５０・６０の放電を継続する場合に、フリッカの発生を防止し得る液晶表示装置１０を提供することができる。
【０１０９】
また、本実施の形態の液晶表示装置１０の駆動方法では、暗表示のサブフレーム期間におけるバックライト５０・６０のオフ時間のパルス間隔が３ｍｓｅｃ以下となっているので、人間の目には、消灯しているとしては認識されない。
【０１１０】
ここで、「パルス間隔」について説明する。バックライトの光源には、ＬＥＤ又は冷陰極管等の光源の何を用いても良いが、冷陰極管５１を光源として用いた場合、その発光特性、電気特性等の多くの意味で厳密なパルス波形となることは少ない。したがって、本実施の形態では、「パルス」の意味として、現象的に「複数（２回以上）の明るい明輝度期間と、その明るい明輝度よりも暗いそれ以外の期間とから構成された点灯状態」として解釈するものとする。すなわち、過渡応答的にピークが発生したり、なまりが発生したりしていても本実施の形態には関係ないものとする。
【０１１１】
なお、本発明は、上記の実施の形態に限定されるものではなく、本発明の範囲内で種々の変更が可能である。例えば、上記実施の形態では、バックライトとして、ＬＥＤ２１又は冷陰極管５１を使用していたが、特にこれに限定するものではなく、例えば、ＥＬ(Electro Luminescence)素子を使用することも可能である。そして、このようなＥＬ素子を使用したバックライトに対しては、駆動電圧さえ考慮（並列直列接続併用等）すれば、上記に説明したいずれの駆動方法を用いても良い。
【０１１２】
また、実施の形態１、２では、例えば４０行の走査線４（画素）に対応するバックライトの駆動方法を説明したが、必ずしもこれに限らず、例えば、１行の走査線４（画素）に対応してバックライトを駆動させても良く、また、フィールド順次に赤（Ｒ）・緑（Ｇ）・青（Ｂ）各単色のバックライトを点灯させても良い。
【産業上の利用可能性】
【０１１３】
本発明は、直下型バックライトを走査信号に同期して順次点灯させる液晶表示装置に適用できる。バックライトとしては、ＬＥＤ（Light Emitting Diode）、有機ＥＬ発光素子、無機ＥＬ発光素子、冷陰極管を利用することができる。
【図面の簡単な説明】
【０１１４】
【図１】本発明における液晶表示装置の実施の一形態を示すものであり、暗表示期間及び明表示期間におけるバックライトの点灯パルスを示すタイミングチャートである。
【図２】上記液晶表示装置における全体構成を示すブロック図である。
【図３】（ａ）〜（ｃ）はバックライトの点灯パルスと視覚特性との関係を示す説明図である。
【図４】上記液晶表示装置におけるＬＥＤからなるバックライトを用いたバックライト駆動部の構成を示すブロック図である。
【図５】上記バックライト駆動部でのＬＥＤからなるバックライトを用いたバックライト駆動方法を示すタイミングチャートである。
【図６】上記液晶表示装置におけるバックライト駆動部の変形例の構成を示すブロック図である。
【図７】本発明における液晶表示装置の他の実施の形態を示すものであり、冷陰極管からなるバックライトのバックライト駆動部の構成を示すブロック図である。
【図８】上記バックライト駆動部での冷陰極管からなるバックライトを用いたバックライト駆動方法を示すタイミングチャートである。
【図９】上記液晶表示装置における冷陰極管からなるバックライトを用いたバックライト駆動部の変形例の構成を示すブロック図である。
【図１０】上記バックライト駆動部での冷陰極管からなるバックライトを用いたバックライト駆動方法を示すタイミングチャートである。
【図１１】上記冷陰極管からなるバックライトの暗表示期間及び明表示期間における点灯パルスを示すタイミングチャートである。
【図１２】従来の液晶表示装置におけるバックライト駆動方法を示すタイミングチャートである。
【符号の説明】
【０１１５】
１    アレイ基板
３    データ線
４    走査線
５    画素電極
６    ＴＦＴ
７    保持容量
８    液晶
１１    ソースドライバ
１２    ゲートドライバ
１３    コントロール回路
２０    バックライト（バックライト装置）
２１    ＬＥＤ
３０    バックライト駆動部（バックライト駆動手段）
３１    ＤＣ／ＤＣコンバータ
３２    クロック発生部
３３    コントローラ
３３ａ  カウンタ
３３ｂ  制御信号発生部
３３ｃ  遅延回路
４０    バックライト駆動部（バックライト駆動手段）
４２    マルチプレクサ（複数行点灯駆動手段）
４３    バッファアンプ
５０    バックライト（バックライト装置）
５１    冷陰極管
５４    出力回路
５４ａ  インバータ
６０    バックライト
【図１】
2007256678.tif 000003
【図２】
2007256678.tif 000004
【図３】
2007256678.tif 000005
【図４】
2007256678.tif 000006
【図５】
2007256678.tif 000007
【図６】
2007256678.tif 000008
【図７】
2007256678.tif 000009
【図８】
2007256678.tif 000010
【図９】
2007256678.tif 000011
【図１０】
2007256678.tif 000012
【図１１】
2007256678.tif 000013
【図１２】
2007256678.tif 000014